【手続補正書】
【提出日】平成17年7月1日(2005.7.1)
【手続補正１】
【補正対象書類名】明細書
【補正対象項目名】全文
【補正方法】変更
【補正の内容】
【書類名】        明細書
【発明の名称】  浴室の排水溝装置
【特許請求の範囲】
【請求項１】    浴室床面４と脱衣室床面とを略同一高さとしたバリアフリー形状の浴室の出入り口において浴室床面４に設けられる排水溝装置であって、排水溝２０に載置される床カバー３０の端部近傍に角穴３５を設け、該角穴３５に沿って摺動可能な引手キャップ４０を装着し、引手キャップ４０で角穴３５を閉とするときに、引手キャップ４０は排水溝２０内に設けられたキャッチ枠２２により、閉状態が保持されるように構成したことを特徴とする浴室の排水溝装置。
【請求項２】    上記床カバー３０には、先方に拡大部を有する弾性変形可能な係合雄部４４を設け、上記キャッチ枠２２には、上記係合雄部４４と嵌合可能なキャッチ凹部２３を設けたことを特徴とする請求項１記載の浴室の排水溝装置。
【請求項３】    排水溝２０を構成する溝底部２１及び一方の側壁部２１ａは、浴室床面４と一体形成し、排水溝２０を構成する他方の側壁は、床カバー３０と一体形成したことを特徴とする請求項１又は２記載の浴室の排水溝装置。
【発明の詳細な説明】
【０００１】
【発明の属する技術分野】
本発明は、浴室と脱衣室の間における出入り口の排水溝装置に関し、更に詳しくは、バリアフリー構造の浴室出入り口に設けられた排水溝の蓋を容易に取り付け、取り外しできるようにした排水溝装置に関する。
【０００２】
【従来の技術】
従来の浴室の排水溝装置において、床カバーを排水溝から持ち上げる手段としては、床カバーに回転式ツマミを設けたものがあるが、これは床カバーの固定ができないという問題ばかりでなく、回転式ツマミを押すことによって凹みができることから、浴室などで使用する場合に汚れがたまりやすい問題があった。
【０００３】
【発明が解決しようとする課題】
本発明は、上記従来技術の問題点を解消するために発明されたものであり、浴室出入り口の浴室床面の排水溝において、床カバーの取り付けが容易で、且つ、清掃のための取り外しが簡単で、蓋面がフラットで歩行が安全である浴室の排水溝装置を提供することを目的とするものである。
【０００４】
【課題を解決するための手段】
上記課題を達成するために、本発明は下記の手段を講じた。請求項１記載の浴室の排水溝装置は、浴室床面４と脱衣室床面とを略同一高さとしたバリアフリー形状の浴室の出入り口において浴室床面４に設けられる排水溝装置であって、排水溝２０に載置される床カバー３０の端部近傍に角穴３５を設け、該角穴３５に沿って摺動可能な引手キャップ４０を装着し、引手キャップ４０で角穴３５を閉とするときに、引手キャップ４０は排水溝２０内に設けられたキャッチ枠２２により、閉状態が保持されるように構成する。
【０００５】
請求項２記載の浴室の排水溝装置は、上記手段において、床カバー３０には先方に拡大部を有する弾性変形可能な係合雄部４４を設け、上記キャッチ枠２２には、上記係合雄部４４と嵌合可能なキャッチ凹部２３を設けたことを特徴とする。
【０００６】
請求項３記載の浴室の排水溝装置は、上記いずれかの手段において、排水溝２０を構成する溝底部２１及び一方の側壁部２１ａは、浴室床面４と一体形成し、排水溝２０を構成する他方の側壁は、床カバー３０と一体形成したことを特徴とする。
【０００７】
【発明の実施の形態】
【実施例１】    以下、本発明の実施例１を図面を参照しつつ説明する。図１は同実施例の要部平面図（Ａ）、同要部縦断面図（Ｂ）及び同要部側面図（Ｃ）、図２は同実施例を適用する浴室出入り口の正面図、図３は、同実施例を適用する浴室出入り口の縦断面図（図２のＡ−Ａ断面図）、図４は同実施例を構成する床カバーの縦断面図（図１（Ｂ）のＢ−Ｂ断面図）、図５は同実施例を構成する引手キャップの係合枠の平面図（Ａ）、側面図（Ｂ）、及び、同要部側面図（Ｃ）、図６は同実施例の角穴が閉状態の要部平面図（Ａ）、同要部縦断面図（Ｂ）である。
【０００８】
浴室の出入り口１には、下枠２、上枠３、左右枠等により枠体が形成され（図２）、下枠２の浴室床面４側の床面には排水溝２０が下枠２に沿って設けられる（図３）。また、この排水溝２０の下には排水溝２０と連通するように排水管５が設けられる。そして、前記浴室床面４、排水溝装置の上面、下枠２の上面、脱衣室床面は各々略同一高さとした所謂バリアフリー形式となっている。
【０００９】
浴室の出入り口１には開閉戸１０が開閉自在に設けられる。開閉戸１０は下框１１、上框１２及び左右框等によりパネル１３やガラリ１４が支持されている公知のものである。なお、図中、符号１５は把手である。また、符号１６は縦框である。
【００１０】
上記出入り口１の巾方向には、浴室床面４に排水溝２０が設けられる。排水溝２０は、浴室床面４と一体に形成された溝底部２１、側壁部２１ａ及び該側壁部２１ａの端縁に形成された床カバー受部２１ｂと、床カバー３０とから構成される。全体として、排水溝２０は、横断面が方形状に形成される（図３）。
【００１１】
キャッチ枠２２は、後述の床カバー３０を保持・固定する機能を有するものであり、排水溝２０内の両側隅部に配置・固着され、排水溝２０に向けてキャッチ凹部２３が形成される。また、キャッチ枠２２は、キャッチ枠２２に穿設されたビス孔に設けられた固定ビス２４により溝底部２１に固定される。
【００１２】
床カバー３０は、上面が平板状に形成された蓋板３１と、蓋板３１の一縁下方に直角方向に一体的に形成される支持部３２とからなる。該支持部３２の下端は、浴室床面４と一体に形成された溝底部２１から下枠下面側に延伸して設けた下枠受部２５の溝底部２１側端部に載置した状態（図１（Ｃ））で排水溝２０の一側部を構成することになる。また、蓋板３１の下面には、蓋板３１の補強作用があるレール部３３，３３が形成されるとともに、支持部３２には止水ヒレ取付部３４が形成される。また、床カバー３０の端部には、引手キャップ４０を装着するための方形状の角穴３５が設けられる（図１，図６）。この角穴３５において引手キャップ４０が一定巾摺動可能に装着される。
【００１３】
上記のように引手キャップ４０は、床カバー３０の蓋板３１に設けられた角穴３５に嵌合され、しかも角穴３５に沿って、図１（Ａ）に矢印αとして示すように一定巾摺動可能となっている。引手キャップ４０は、平板状のキャップ板４０ａと、該キャップ板４０ａの下部に取り付けられる下垂枠４１と、該下垂枠４１にビス４５により取り付けられる係合枠４２とからなる。
【００１４】
そして、係合枠４２には案内片４３，４３が設けられると共に、その一側（摺動方向側）には先太形状の係合雄部４４がキャッチ枠２２側に突出状態で設けられる。係合雄部４４は、図５に示すように、金属製或いは合成樹脂製の弾性材で形成され、一対の対称的に配置され、全体として先方に拡大部を有するる湾曲片からなる。そして、係合雄部４４はキャッチ凹部２３との嵌合時には弾性変形する。また、係合枠４２の係合雄部４４の両側位置には、水平方向に浮上り防止舌片４６，４６が設けられる。浮上り防止舌片４６，４６は、引手キャップ４０を図１に示す状態から、図６に示す状態に移動させることで、キャッチ枠２２の下部に入り込ませて、引手キャップ４０がキャッチ枠２２から浮き上がることを防止ができる。
【００１５】
上記構成により、床カバー３０の角穴３５にその上方から引手キャップ４０を装着した上、床カバー３０を溝底部２１上に載置して排水溝２０を形成する（特に、図１（Ｃ）参照）。上記状態において、引手キャップ４０を図１に示す状態から、図６に示す状態に移動させることで、引手キャップ４０下部に設けられた係合枠４２の係合雄部４４がキャッチ凹部２３に嵌合し、床カバー３０を簡単且つ正確に取り付けることで排水溝２０を形成することができ、しかも、引手キャップ４０の係合雄部４４及び浮上り防止舌片４６，４６がキャッチ枠２２側に係合することにより、床カバー３０が溝底部２１から外れることを防止できる。また、引手キャップ４０を横にスライドさせる（図６の状態→図１の状態）ことにより、角穴３５を開けて引手空間を作ることができる。
【００１６】
また、引手キャップ４０側の係合雄部４４は、閉める方向に動かした場合、排水溝２０内に設けられているキャッチ枠２２のキャッチ凹部２３に嵌めることによりクリック感を得ることができる。また、引手キャップ４０を閉めた時には、引手キャップ４０が角穴３５を覆うため、角穴３５から水やゴミが入りにくい。又、引手キャップ４０に取り付けた係合枠４２及び案内片４３，４３は、上記角穴３５に沿って配置されるために、床カバー３０や引手キャップ４０の上を歩いた場合でも、引手キャップ４０が角穴３５から室内外方向にずれることはない。なお、案内片４３，４３は、係合枠４２の上縁部に平行に２本形成され、角穴３５の内縁に摺接可能な状態で設けられており、引手キャップ４０の開閉移動時には、引手キャップ４０は案内片４３，４３に案内される。
【００１７】
【実施例２】    次に、実施例２について説明する。図７は実施例２の折り戸の正面図、図８は図７のＡ−Ａ断面図、図９は図７のＢ−Ｂ断面図である。実施例２の特徴は、浴室の排水溝装置を、図９に示すように、浴室の出入り口５１の下枠５２と兼用させたところになる。出入り口５１には上枠５３や下枠５２が設けられ、折り戸６０が開閉自在に設けられている。また、下枠５２の下部に排水溝７０が形成される。下枠５２は、下枠本体５２ａと床カバー８０とからなり、下枠本体５２ａには、立上り部５２ｂやレール部５２ｃが形成される。浴室床面５４の下枠５２側の排水溝７０相当部分は下方に略Ｌ型に折り曲げられ、溝底部７１と側壁部７１ａとが形成される。また、溝底部７１には、該溝底部７１を貫通した排水管５５が設けられる。
【００１８】
折り戸６０は下枠５２上に装着される。折り戸６０は下框６１、上框６２及び左右框に支持されるパネル６３、ガラリ６４、把手６５、縦框６６等からなる。また、下框６１下部には、浴室側タイト材６７と脱衣室側タイト材６８とが下部の下枠５２側に当接するように設けられている。
【００１９】
排水溝７０の両端部で溝底部７１上に、キャッチ枠７２が載置され、キャッチ枠７２は固定ビス７４により下枠５２に固定される。キャッチ枠７２は、基本的には実施例１のキャッチ枠２２と同一の構成で、キャッチ凹部（図外）が形成されている。また、下枠本体５２ａ上部には床カバー受部５２ｄが形成され、床カバー８０が載置される。この床カバー８０にはレール部５２ｃに当接して案内される係止片部８１が形成され、また、上面には止水性を向上させるための凸部８２が形成される。そして、上記床カバー８０の両端部には、実施例１と同様に角穴（図外）が形成され、該角穴には開閉可能な蓋板が設けられる。
【００２０】
【実施例３】    次に、実施例３について説明する。図１０は実施例３の浴室ドアの水平断面図、図１１は同実施例の浴室ドアの垂直断面図である。実施例３の特徴は、実施例２と同様に、浴室の排水溝１１０を、図１１に示すように、浴室の出入り口９１の下枠９２と兼用させたところになる。浴室出入り口９１には下枠９２、及び上枠９３が設けられている。出入り口９１には、浴室ドア１００が開閉自在に装着される。浴室ドア１００は、下框１０１、上框１０２、パネル１０３、把手１０５、縦框１０６等から構成される点は、実施例１と変わるものではない。
【００２１】
下枠９２下部に排水溝１１０が形成される。排水溝１１０は浴室側の浴室床面９４から延設された浴室床面９４と一体の側壁部１１１ａ及び溝底部１１１を基本構造体とし、この溝底部１１１上に長尺の下枠本体９２ａが載置される。下枠本体９２ａには、床カバー１２０を支持させるための立上り部９２ｂが形成される。また、排水溝１１０には排水管１３５が取り付けられる。
【００２２】
排水溝１１０の溝底部１１１上で排水溝１１０の両端部には、キャッチ枠１１２が載置され、ビス孔１１４が形成される。キャッチ枠１１２は、基本的には実施例１，２のキャッチ枠と同一の構成で、キャッチ凹部（図外）が形成されている。また、下枠本体９２ａ上部には床カバー受部９２ｃが形成され、床カバー１２０が載置される。この床カバー１２０には係止片部１２１及び支持部１２２が形成される。そして、上記床カバー１２０の両端部には、実施例１，２と同様に角穴（図外）が形成され、該角穴には開閉可能な蓋板が設けられる。
【００２３】
【発明の効果】
以上の説明から理解できるように、上記構成により、床カバーを排水溝に正確に位置決め・取り付けすることが出来、又床カバーの持ち上がりを防止し、床カバーの左右ずれも防止できる等、用途面で優れている。特に、段差がきわめて少ない出入り口において、床カバーを簡単に付けたり外したりできることにより、床カバーを外したところの清掃、点検ができる。特に、ゴミや水が溜まったり、入ったりしない。又、床カバーを確実に排水溝に固定できる。
【００２４】
特に、床カバーを排水溝から取り去ると、蓋板と共に支持部も一緒に取り外すことができるから、排水溝内の清掃が極めて容易になる。更に、排水溝を下枠の下部に配置したことで、浴室を一層広く利用できるようにすることができる。また、排水溝の構成要素と下枠の構成要素とを併用させることで、構成の簡略化を図ることができる。
【図面の簡単な説明】
【図１】本発明に係る実施例１の角穴が開状態の要部平面図（Ａ）、同要部縦断面図（Ｂ）、及び、同要部側面図（Ｃ）。
【図２】同実施例１を適用する浴室出入り口の正面図。
【図３】同実施例１を適用する浴室出入り口の縦断面図（図２のＡ−Ａ断面図）。
【図４】同実施例１を構成する床カバーの縦断面図（図１R>１（Ｂ）のＢ−Ｂ断面図）。
【図５】同実施例１を構成する引手キャップの係合枠の平面図（Ａ）、側面図（Ｂ）及び同要部側面図（Ｃ）。
【図６】同実施例１の角穴が閉状態の要部平面図（Ａ）、同要部縦断面図（Ｂ）。
【図７】本発明に係る実施例２の折り戸の正面図。
【図８】図７のＡ−Ａ断面図。
【図９】図７のＢ−Ｂ断面図。
【図１０】本発明に係る実施例３の水平断面図。
【図１１】同実施例２の縦断面図。
【符号の説明】
１・・・出入り口 ２・・・下枠 ３・・・上枠
４・・・浴室床面 ５・・・排水管
１０・・開閉戸 １１・・下框 １２・・上框
１３・・パネル １４・・ガラリ １５・・把手
１６・・縦框
２０・・排水溝 ２１・・溝底部 ２１ａ・・側壁部
２１ｂ・・床カバー受部 ２２・・キャッチ枠
２３・・キャッチ凹部 ２４・・固定ビス  下枠受部・・２５
３０・・床カバー ３１・・蓋板 ３２・・支持部
３３・・レール部 ３４・・止水ヒレ取付部 ３５・・角穴
４０・・引手キャップ ４０ａ・・キャップ板 ４１・・下垂枠
４２・・係合枠 ４３・・案内片 ４４・・係合雄部
４５・・ビス ４６・・浮上り防止舌片
５１・・出入り口 ５２・・下枠
５２ａ・・下枠本体 ５２ｂ・・立上り部
５２ｃ・・レール部 ５２ｄ・・床カバー受部 ５３・・・上枠
５４・・浴室床面 ５５・・排水管
６０・・開閉戸（折り戸）６１・・下框 ６２・・上框
６３・・パネル ６４・・ガラリ ６５・・把手
６６・・縦框 ６７・・浴室側タイト材 ６８・・脱衣室側タイト材
７０・・排水溝 ７１・・溝底部 ７１ａ・・側壁部
７２・・キャッチ枠 ７４・・固定ビス
８０・・床カバー ８１・・係止片部 ８２・・凸部
９１・・出入り口
９２・・下枠 ９２ａ・・下枠本体 ９２ｂ・・立上り部
９２ｃ・・床カバー受部
９３・・上枠 ９４・・浴室床面
１００・・開閉戸（折り戸）
１０１・・下框 １０２・・上框 １０３・・パネル
１０５・・把手 １０６・・縦框 １１０・・排水溝
１１１・・溝底部 １１１ａ・・側壁部
１１２・・キャッチ枠 １１４・・ビス孔
１２０・・床カバー １２１・・係止片部 １２２・・支持部
１３５・・排水管
【手続補正２】
【補正対象書類名】図面
【補正対象項目名】図１
【補正方法】変更
【補正の内容】
【図１】
2003096861.tif 000001
【手続補正３】
【補正対象書類名】図面
【補正対象項目名】図１１
【補正方法】変更
【補正の内容】
【図１１】
2003096861.tif 000002